(57)【要約】【課題】  正極又は負極における電気化学反応によって生成される中間生成物が外部に排出されるのを抑制することができる燃料電池を提供する。【解決手段】  本発明の燃料電池は、酸素を還元する正極１と、液体燃料４を酸化する負極２と、正極１と負極２との間に配置された電解質３と、正極１及び負極２の少なくとも一方における電気化学反応によって生成される物質を少なくとも外部に排出する開口部とを備えた燃料電池であって、電気化学反応によって生成される中間生成物を吸収する窒素含有化合物を含むフィルター６を備え、フィルター６は、開口部を覆って配置されている。【選択図】  図１
2006261053.tif 000002
【特許請求の範囲】
【請求項１】
酸素を還元する正極と、燃料を酸化する負極と、前記正極と前記負極との間に配置された電解質と、前記正極及び前記負極の少なくとも一方における電気化学反応によって生成される物質を少なくとも外部に排出する開口部とを備えた燃料電池であって、
前記電気化学反応によって生成される中間生成物を吸収する窒素含有化合物を含むフィルターを備え、
前記フィルターは、前記開口部を覆って配置されていることを特徴とする燃料電池。
【請求項２】
前記窒素含有化合物は、分子中にＮ−Ｈ結合を有する化合物である請求項１に記載の燃料電池。
【請求項３】
前記Ｎ−Ｈ結合を有する化合物は、アンモニア、アミン類化合物、アミド類化合物、イミド類化合物、尿素系化合物及び複素環系アミン類化合物からなる群から選ばれた少なくとも一つの化合物である請求項２に記載の燃料電池。
【請求項４】
前記フィルターは、前記中間生成物を吸着する吸着性材料から形成されている請求項１に記載の燃料電池。
【請求項５】
前記吸着性材料は、活性炭、セピオライト、ゼオライトからなる群から選ばれた少なくとも一つを含む請求項４に記載の燃料電池。
【請求項６】
前記フィルターは、前記中間生成物の酸化を促進する触媒をさらに含む請求項１に記載の燃料電池。
【請求項７】
前記中間生成物は、ホルムアルデヒド、蟻酸、蟻酸メチルからなる群から選ばれた少なくとも一つの化合物である請求項１に記載の燃料電池。
【請求項８】
前記燃料は、メタノール、エタノール及びジメチルエーテルからなる群から選ばれた少なくとも一つである請求項１に記載の燃料電池。
【発明の詳細な説明】
【技術分野】
【０００１】
本発明は、有害な物質の排出を抑制できる燃料電池に関する。
【背景技術】
【０００２】
近年、パソコン、携帯電話等のコードレス機器の普及に伴い、その電源である二次電池はますます小型化、高容量化が要望されている。現在、エネルギー密度が高く、小型化、軽量化できる二次電池としてリチウム二次電池が実用化されており、ポータブル電源として需要が増大している。しかし、このリチウム二次電池では、一部の種類のコードレス機器に対して、未だ十分な連続使用時間を保証することができない。
【０００３】
このような状況の中で、上記問題を解決する電池として、燃料電池の開発が進められている。例えば、正極活物質に酸素、負極活物質に燃料、電解質に高分子電解質を用いる固体高分子型燃料電池は、リチウムイオン二次電池よりも高いエネルギー密度が期待できる電池として注目されている。また、負極活物質に例えばメタノール水溶液等の液体燃料を用いて直接発電する液体燃料直接供給型燃料電池は、エネルギー密度が高く、小型化できる電池として、特に期待されている。
【０００４】
この液体燃料直接供給型燃料電池では、放電を行うことにより、負極側で燃料が酸化されて二酸化炭素が生成される反応が起こり、正極側で酸素等の酸化剤が還元されて水が生成される反応が起こる。そして、生成された二酸化炭素等は、排出口から外部に排出される。しかし、全ての燃料が完全に酸化されるわけではなく、排出される気体には中間生成物も含まれる。その中間生成物には、有害なホルムアルデヒド、ギ酸、ギ酸メチル等が含まれる場合もあり、このような有害物質の排出を防ぐ必要がある。
【０００５】
このような有害物質が外部に排出されるのを防ぐ方法として、例えば、排出口に中間生成物を物理的に吸着する活性炭やゼオライト等の吸着性材料を配置する方法や、中間生成物の酸化を促進させる貴金属系触媒、光化学触媒、金属酸化物等の触媒等を配置する方法等が知られている（例えば、特許文献１、２参照。）。
【特許文献１】特開２００３−２２３９２０号公報
【特許文献２】特開２００３−３４６８６２号公報
【発明の開示】
【発明が解決しようとする課題】
【０００６】
しかしながら、従来の方法は、有害物質の生成に対して吸着速度や酸化効率が十分ではないという問題があった。また、貴金属系触媒を用いて有害物質の排出を防ぐ方法には、コストが高いという問題もあった。
【０００７】
本発明は、正極又は負極における電気化学反応によって生成される中間生成物が外部に排出されるのを抑制することができる燃料電池を提供する。
【課題を解決するための手段】
【０００８】
本発明の燃料電池は、酸素を還元する正極と、燃料を酸化する負極と、前記正極と前記負極との間に配置された電解質と、前記正極及び前記負極の少なくとも一方における電気化学反応によって生成される物質を少なくとも外部に排出する開口部とを備えた燃料電池であって、前記電気化学反応によって生成される中間生成物を吸収する窒素含有化合物を含むフィルターを備え、前記フィルターは、前記開口部を覆って配置されていることを特徴とする。
【発明の効果】
【０００９】
本発明は、正極又は負極における電気化学反応によって生成される中間生成物が外部に排出されるのを抑制することができる燃料電池を提供できる。
【発明を実施するための最良の形態】
【００１０】
本発明の燃料電池の一例は、酸素を還元する正極と、燃料を酸化する負極と、上記正極と上記負極との間に配置された電解質と、上記正極及び上記負極の少なくとも一方における電気化学反応によって生成される物質を少なくとも外部に排出する開口部とを備えた燃料電池であって、上記電気化学反応によって生成される中間生成物を吸収する窒素含有化合物を含むフィルターを備え、上記フィルターは、上記開口部を覆って配置されている。上記フィルターを備えることにより、正極又は負極における電気化学反応によって生成される中間生成物が外部に排出されるのを防ぐことができる。
【００１１】
上記窒素含有化合物としては、分子中にＮ−Ｈ結合を有する化合物が好ましい。上記化合物は、上記中間生成物を、後述する反応によって容易に吸収することができるからである。
【００１２】
上記Ｎ−Ｈ結合を有する化合物としては、アンモニア、アミン類化合物、アミド類化合物、イミド類化合物、尿素系化合物及び複素環系アミン類化合物からなる群から選ばれた少なくとも一つの化合物であることが好ましい。上記化合物は、中間生成物との反応性が特に高く、中間生成物をより多く吸収することができるからである。
【００１３】
上記フィルターは、上記中間生成物を吸着する吸着性材料から形成されていることが好ましい。これにより、中間生成物は物理的に吸着され、上述した窒素含有化合物により吸収されやすくなるからである。
【００１４】
上記吸着性材料は、活性炭、セピオライト、ゼオライトからなる群から選ばれた少なくとも一つを含むことが好ましい。これにより、上記材料の有する多数の細孔内に、中間生成物をより多く吸着させることができるフィルターとなるからである。
【００１５】
また、上記フィルターは、上記中間生成物の酸化を促進する触媒をさらに含むことが好ましい。これにより、中間生成物はより除去されやすくなるからである。
【００１６】
上記中間生成物は、ホルムアルデヒド、蟻酸、蟻酸メチルからなる群から選ばれた少なくとも一つ化合物であることが好ましい。これにより、有害な物質の排出を抑制できるフィルターとなるからである。
【００１７】
上記燃料としては、特に限定されないが、メタノール、エタノール等のアルコール類やジメチルエーテル等のエーテル類等を用いることができる。
【００１８】
次に、本発明の実施の形態を図面に基づき説明する。
【００１９】
図１は、本発明の燃料電池の一例を示す断面図である。本実施形態の燃料電池は、液体燃料直接供給型燃料電池であり、酸素を還元する正極１、液体燃料４を酸化する負極２、及び正極１と負極２との間に配置された電解質３からなる膜−電極接合体（ＭＥＡ：Ｍｅｍｂｒａｎｅ  Ｅｌｅｃｔｒｏｄｅ  Ａｓｓｅｍｂｌｙ）と、ＭＥＡを挟むように配置された正極集電体８及び負極集電体１０と、正極集電体８の外側に配置されたカバー板１４と、負極集電体１０の外側に配置された燃料タンク１１とを備える。そして、正極集電体８及びカバー板１４には、酸素供給口７が設けられ、酸素が正極１へ供給されるようになっている。さらに、酸素供給口７からは、正極１における電気化学反応によって生成された物質が、フィルター６を通って外部へ排出されるようになっている。一方、負極集電体１０及び燃料タンク１１には、燃料供給口９が設けられ、液体燃料４が負極２へ供給されるようになっている。また、燃料タンク１１には、排出口５が設けられ、負極２における電気化学反応によって生成された物質が、気液分離膜１２及びフィルター６を通って外部へ排出されるようになっている。
【００２０】
フィルター６は、正極１又は負極２における電気化学反応によって生成される中間生成物を吸収する窒素含有化合物を含めば、その他に含まれる材料やその形状、厚さ、製造方法等によって特に限定されない。例えば、高分子材料、炭素材料、無機多孔質材料等をさらに含み、粉末状、薄膜状、繊維状、ハニカム状のフィルター等を用いればよい。また、窒素含有化合物の含有率は、例えばフィルター６の全質量の０．１質量％以上５０質量％以下、より好ましくは１０質量％以上４０質量％以下であればよい。
【００２１】
また、このフィルターは、中間生成物が外部に排出される開口部に、少なくとも配置されていればよい。すなわち、負極２で生成された中間生成物を吸収する窒素含有化合物を含むフィルターであれば排出口５にのみ、フィルター６を配置しても十分な効果を得られる。しかし、使用する電解質３によっては、液体燃料４が反対の電極側に移動して反応する場合もあり、図１に示したように、フィルター６を酸素供給口７と排出口５の両方に配置すれば、より確実に中間生成物の排出を抑制することができる。
【００２２】
ここで中間生成物とは、正極及び負極の少なくとも一方における電気化学反応によって生成された物質の中で、液体燃料４が不完全に酸化されることにより生成された物質であり、例えば、ホルムアルデヒド、蟻酸、蟻酸メチル、一酸化炭素、酢酸等の物質である。特に、有害なホルムアルデヒド、蟻酸、蟻酸メチルの排出を防ぐために、これらの中間生成物を吸収する窒素含有化合物を含むフィルター６がより好ましい。
【００２３】
この窒素含有化合物は、窒素原子を含有する化合物であれば、鎖状化合物であっても、環状化合物であってもよいし、１種類の化合物のみを用いても、２種類以上の化合物を組み合わせて用いてもよい。分子中にＮ−Ｈ結合を有する化合物であれば、上記中間生成物を後述する反応によって容易に吸収することができるのでより好ましく、アンモニア、アミン類化合物、アミド類化合物、イミド類化合物、尿素系化合物、複素環系アミン類化合物からなる群から選ばれた少なくとも一つの分子中にＮ−Ｈ結合を有する化合物であれば、中間生成物との反応性が特に高く、中間生成物をより多く吸収することができるのでさらに好ましい。特に、尿素又は環状アルキレン尿素であれば、中間生成物の中でも特に排出されると問題なホルムアルデヒドの吸収性に優れるのでより一層好ましい。
【００２４】
以下、窒素含有化合物をより具体的に説明する。上記アミン類化合物としては、例えば、ジメチルアミン、ジエチルアミン、イソプロピルアミン、ブチルアミン、エチレンジアミン、プロピレンジアミン、ジエチレントリアミン、１，２−ジアミノプロパン、１，３−ジアミノプロパン、イミノビスプロピルアミン、テトラメチレンジアミン、ヘキサメチレンジアミン、トリエチレンテトラミン、テトラエチレンペンタミン、クロルアミン、モルホリン、３−アザヘキサン−１，６−ジアミン及び４，７−ジアザデカン−１，１０−ジアミン等を用いることができる。上記アミド類化合物としては、例えば、ホルムアミド、アセトアミド、ベンズアミド、オキサミド、オキサミン酸、コハク酸アミド、マロンアミド、ジシアンジアアミド、ジシアノジアミド及び２−アクリルアミド−２−メチルプロパンスルホン酸等を用いることができる。上記イミド類化合物としては、例えば、スクシンイミド、フタルイミド、マレイミド、イソシアヌル酸、エチレンイミン、ポリエチレンイミン、ポリアリルアミン及びポリビニルアミン等を用いることができる。尿素系化合物としては、例えば、尿素、チオ尿素、メチル尿素、エチル尿素、ジメチル尿素、ジエチル尿素、エチレン尿素、プロピレン尿素、５−ヒドロキシプロピレン尿素、５−メトキシプロピレン尿素、５−メトキキシプロピレン尿素、５−メチルプロピレン尿素、４，５−ジメトキシエチレン尿素、グアニル尿素、グアニルチオ尿素、アゾジカルボンアミド、グリコリル尿素、１−メチロール−５，５−ジメチルヒダントイン及びアセチル尿素等を用いることができる。複素環系アミン類化合物としては、例えば、α−アミノ−ε−カプロラクタム、メラミン、２−アミノ−４，５−ジシアノイミダゾール、アセトグアナミン、グアニン、ピロリジン、ピペリジン、ピペラジン、プロリン及びヒドロキシプロリン等を用いることができる。また、上述した化合物の他に窒素含有化合物としては、例えば、アンモニア、ヒドロキシルアミン、アセトアルデヒドアンモニア、クロルアミン等を用いることができる。
【００２５】
なお、本発明において、窒素含有化合物が中間生成物を吸収する反応は、下記式で示される反応であると推察される。
【００２６】
（式１）    ＲＣＨＯ  ＋  Ｒ’−ＮＨ2    →    ＲＣＨ＝ＮＲ’  ＋  Ｈ2Ｏ
但し、Ｒ及びＲ’は任意のアルキル基を示す。
【００２７】
また、上記フィルター６は、上記中間生成物を吸着する吸着性材料から形成されていれば、中間生成物は、吸着性材料に物理的に吸着されることにより、上述した窒素含有化合物により吸収されやすくなるので、より好ましい。この吸着性材料は、活性炭、セピオライト、ゼオライトからなる群から選ばれた少なくとも一つを含めば、その材料の細孔内に中間生成物をより多く吸着させることができるので、さらに好ましい。
【００２８】
また、上記フィルター６は、上記中間生成物の酸化を促進する触媒をさらに含めば、中間生成物はより除去されやすくなるので、より好ましい。この触媒は、中間生成物の種類によって適宜選択すればよいが、例えば、下記（１）〜（５）に示す触媒等を用いることができる。即ち、（１）白金、金、銀、インジウム又はイリジウム等の単体金属、（２）ルテニウム、インジウム、イリジウム、スズ、鉄、チタン、金、銀、クロム、ケイ素、亜鉛、マンガン、モリブデン、タングステン、レニウム、アルミニウム、鉛、パラジウム及びオスミウムからなる群から選ばれた少なくとも１種類の金属と白金との合金、（３）ルテニウム、インジウム、イリジウム、スズ、鉄、チタン、銀、クロム、ケイ素、亜鉛、マンガン、モリブデン、タングステン、レニウム、アルミニウム、鉛、パラジウム及びオスミウムからなる群から選ばれた少なくとも１種類の金属と金との合金、（４）ルテニウム、イリジウム、スズ、鉄、チタン、銀、クロム、ケイ素、亜鉛、マンガン、モリブデン、タングステン、レニウム、アルミニウム、鉛、パラジウム及びオスミウムからなる群から選ばれた少なくとも１種類の金属とインジウムとの合金、及び、（５）ルテニウム、スズ、鉄、チタン、銀、クロム、ケイ素、亜鉛、マンガン、モリブデン、タングステン、レニウム、アルミニウム、鉛、パラジウム及びオスミウムからなる群から選択された少なくとも１種類の金属とイリジウムとの合金等を用いることができる。
【００２９】
正極１は、電解質３に接して配置された正極触媒層１ｂと、正極触媒層１ｂの電解質３と反対側の主面に接して配置された正極拡散層１ａとを積層した構成である。この正極１は、酸素を電気化学的に還元する機能を有し、液体燃料直接供給型燃料電池の正極として一般に用いられるものであれば、その材料や構成等によって、特に限定されない。例えば、正極拡散層１ａは、多孔性の炭素材料からなり、正極触媒層１ｂは、触媒を担持した導電性材料からなる。正極触媒層１ｂに含まれる触媒としては、例えば、白金微粒子や、鉄、ニッケル、コバルト、錫、ルテニウム及び金から選ばれた少なくとも一種類の金属と白金との合金微粒子等を用いることができる。正極触媒層１ｂに含まれる導電性材料としては、主として炭素材料が用いられ、例えば、カーボンブラック、活性炭、カーボンナノチューブ、カーボンナノホーン等を用いることができる。一般的には、導電性材料の表面に上記触媒を分散させて担持させた触媒担持カーボンを用いる。また、上記正極触媒層１ｂには、ポリテトラフルオロエチレン（ＰＴＦＥ）樹脂粒子等のバインダや、ポリパーフルオロスルホン酸樹脂やスルホン化ポリエーテルスルホン酸樹脂及びスルホン化ポリイミド樹脂等のプロトン交換樹脂粒子等の高分子材料をさらに含んでもよい。
【００３０】
負極２は、電解質３に接して配置された負極触媒層２ｂと、負極触媒層２ｂの電解質３と反対側の主面に接して配置された負極拡散層２ａとを積層した構成である。この負極２は、燃料を電気化学的に酸化する機能を有し、液体燃料直接供給型燃料電池の負極として一般に用いられるものであれば、その材料や構成等によって特に限定されない。例えば、負極拡散層２ａは、多孔性の炭素材料からなり、負極触媒層２ｂは、触媒を担持された導電性材料からなる。負極触媒層２ｂに含まれる触媒としては、例えば、白金微粒子や、ルテニウム、インジウム、イリジウム、スズ、鉄、チタン、金、銀、クロム、ケイ素、亜鉛、マンガン、モリブデン、タングステン、レニウム、アルミニウム、鉛、パラジウム及びオスミウムから選ばれた少なくとも一種類の金属と白金との合金微粒子等を用いることができる。また、導電性材料、バインダ及び高分子材料については、上述した正極１と同様の材料を用いることができる。
【００３１】
電解質３は、正極１と負極２との間の配置され、プロトンを輸送することができる、電子伝導性のない材料からなる。例えば、ポリパーフルオロスルホン酸樹脂膜、具体的には、デュポン社製の"ナフィオン膜"（商品名）、旭硝子社製の"フレミオン膜"（商品名）、旭化成工業社製の"アシプレックス膜"（商品名）等を用いることができる。また、スルホン化ポリエーテルスルホン酸樹脂膜、スルホン化ポリイミド樹脂膜、硫酸ドープポリベンズイミダゾール膜、固体電解質であるリン酸ドープＳｉＯ2、高分子とリン酸ドープＳｉＯ2のハイブリッド、高分子と酸化物に酸性溶液を含浸したゲル電解質等を用いることもできる。
【００３２】
正極集電体８及び負極集電体１０は、スペーサ１３を介して上記ＭＥＡを挟むように配置され、外部に導通接続されている。
【００３３】
液体燃料４は、液体燃料直接供給型燃料電池に用いられる一般的な化合物であれば、特に限定されず、例えば、１種類の化合物であっても２種類以上の化合物の混合物であってもよいし、さらに添加物等を含んでいてもよい。例えば、メタノール、エタノール等のアルコール類、ジメチルエーテル等のエーテル類を用いることができる。
【実施例】
【００３４】
本発明を、実施例を用いてより具体的に説明する。なお、本発明は、以下の実施例に限定されるものではない。
【００３５】
（実施例１）
下記のようにして、図１と同様の構造の燃料電池を作製した。
【００３６】
フィルターは、窒素含有化合物であるエチレン尿素３５質量％と、安定剤であるエチレングリコール５質量％と、水６０質量％とを含む混合溶液を調製し、この溶液に吸着性材料である繊維状活性炭（比表面積１５００ｇ／ｍ2）を浸漬させた後、１００℃で２４時間以上真空乾燥して形成した。このフィルターは、厚さ２ｍｍ、エチレン尿素の含有率３０質量％であった。
【００３７】
次に、上記フィルターを、カバー板に設けられた酸素供給口を覆うように配置した。さらに、上記フィルターを、燃料タンクに設けられた排出口を覆うように配置し、フィルターの外部に接していない側に、ＰＴＦＥで形成された気液分離膜を配置した。
【００３８】
正極触媒層の作製には、まず、白金を５０質量％担持させた白金担持カーボンである田中貴金属工業社製の“１０Ｅ５０Ｅ”（商品名）１０質量部と、ポリパーフルオロスルホン酸樹脂溶液であるアルドリッチ（Ａｌｄｒｉｃｈ）社製の“ナフィオン（Ｎａｆｉｏｎ）”（商品名）８０質量部と、水１０質量部とを充分に攪拌して、均一に分散させた電極ペーストを調製した。次に、ＰＴＦＥフィルムの上に、上記電極ペーストを塗布して乾燥し、電極層を得た。この電極層を所定のサイズに切り出して正極触媒層を形成した。
【００３９】
負極触媒層の作製には、白金担持カーボンの代わりに、触媒である白金とルテニウムとの合金（Ｐｔ：Ｒｕのモル比２：３）を５４質量％担持させた白金・ルテニウム合金担持カーボンである田中貴金属工業社製の“６１Ｅ５４”（商品名）を用いたこと以外は、上記正極触媒層と同様の方法で負極触媒層を形成した。
【００４０】
固体高分子電解質膜（以下、電解質膜という。）には、ポリパーフルオロスルホン酸樹脂膜であるデュポン（ＤｕＰｏｎｔ）社製の“ナフィオン（Ｎａｆｉｏｎ）１１２”（商品名）を所定のサイズに切り出して用いた。
【００４１】
次に、電解質膜の主面に、上記正極触媒層の電極層が対向するように重ね合わせ、この電解質膜の正極触媒層に接していない側の主面に、上記負極触媒層の電極層が対向するように重ね合わせた後、ホットプレスして接合した。上記正極触媒層及び上記負極触媒層のＰＴＦＥフィルムを剥がし、上記正極触媒層及び上記負極触媒層のＰＴＦＥフィルムが剥がされた面に、カーボンペーパーで形成された正極拡散層及び負極拡散層を積層して、ＭＥＡを得た。
【００４２】
次に、上記ＭＥＡの正極側の主面には、酸素供給口を備えた正極集電体を設け、負極側の主面には、燃料を供給するための燃料供給口を備えた負極集電体を設け、シリコーンゴムで形成されたスペーサで接着した。最後に、酸素供給口を備えた上記カバー板と、燃料供給口を備えた上記燃料タンクとを配置し、本実施例の燃料電池を得た。
【００４３】
（比較例１）
上記フィルターを用いていないこと以外は、実施例１と同様にして本比較例の燃料電池を作製した。
【００４４】
（比較例２）
上記フィルターを吸着性材料である繊維状活性炭（比表面積１５００ｇ／ｍ2）のみ用いて形成したこと以外は、実施例１と同様にして本比較例の燃料電池を作製した。
【００４５】
次に、それぞれ密封容器に入れた実施例１及び比較例１、２の燃料電池を、電流密度１０ｍＡ／ｃｍ2、２５ｍＡ／ｃｍ2、５０ｍＡ／ｃｍ2、１００ｍＡ／ｃｍ2、１５０ｍＡ／ｃｍ2で１時間放電した。このとき、排出されたホルムアルデヒドを、高速液体クロマトグラフィーで測定した。図２に、各燃料電池のホルムアルデヒドの排出量を示した。なお、この排出量は、電流密度１５０ｍＡ／ｃｍ2で放電した時に比較例１の燃料電池から排出されたホルムアルデヒドの量を１００とした相対値である。
【００４６】
図２から明らかなように、本発明の実施例１は、比較例１〜２に比べてホルムアルデヒドの排出量が著しく少なかった。この結果より、フィルターに中間生成物を吸収するエチレン尿素を含むことで、生成されるホルムアルデヒドを速やかに吸収できることがわかった。
【００４７】
従って、中間生成物を吸収する窒素含有化合物を含むフィルターを開口部に備えた燃料電池は、生成される中間生成物を速やかに吸収できることがわかる。
【産業上の利用可能性】
【００４８】
以上説明したように本発明は、正極又は負極における電気化学反応によって生成される中間生成物が外部に排出されるのを抑制することができる燃料電池を提供できる。
【図面の簡単な説明】
【００４９】
【図１】本発明の燃料電池の一例を示す断面図である。
【図２】実施例１及び比較例１、２のホルムアルデヒドの排出量を示す図である。
【符号の説明】
【００５０】
１  正極
１ａ  拡散層
１ｂ  触媒層
２  負極
２ａ  拡散層
２ｂ  触媒層
３  電解質
４  液体燃料
５  排出口
６  フィルター
７  酸素供給口
８  正極集電体
９  燃料供給口
１０  負極集電体
１１  燃料タンク
１２  気液分離膜
１３  スペーサ
１４  カバー板
【図１】
2006261053.tif 000003
【図２】
2006261053.tif 000004